(57)【要約】乗客コンベヤ（１０）を遠隔制御する装置（１００）および方法が開示されている。装置（１００）および方法は、乗客コンベヤ（１０）および状態変化オブジェクト（１０４）の画像をカメラ（１０２）で捕らえ、遠隔制御センター（１０６）から状態変化オブジェクト（１０４）に始動指令（１０８）を送信し、遠隔制御センター（１０６）から始動指令（１０８）が送信された時間に対する、状態変化オブジェクト（１０４）の画像によって状態変化オブジェクト（１０４）が始動指令（１０８）に応答していることが確認された時間に基づいて時間遅れを計算し、乗客コンベヤ（１０）に乗客が存在しないことを確認し、計算された時間遅れに基づいて乗客コンベヤ（１０）の遠隔制御の制限時間を開始することを含む。
2013534199.tif 000002
【特許請求の範囲】
【請求項１】
両端部にプラットフォームを備える乗客コンベヤ（１０）の遠隔制御方法であって、
視覚的に確認できる状態が変化する状態変化オブジェクト（１０４）を設け、
カメラ（１０２）を使用して乗客コンベヤ（１０）と状態変化オブジェクト（１０４）の画像を捕らえ、
カメラ（１０２）から受信した乗客コンベヤ（１０）および状態変化オブジェクト（１０４）の画像を表示可能で、かつ状態変化オブジェクト（１０４）を制御可能な遠隔制御センター（１０６）にカメラ（１０２）で捕らえた画像を送信し、
遠隔制御センター（１０６）から状態変化オブジェクト（１０４）に始動指令（１０８）を送信し、
乗客コンベヤ（１０）および始動指令（１０８）に応答する状態変化オブジェクト（１０４）の画像を受信し、
始動指令（１０８）が送信された時間に対する、遠隔制御センター（１０６）がカメラ（１０２）から受信した状態変化オブジェクト（１０４）の画像によって状態変化オブジェクト（１０４）が始動指令（１０８）に応答していることが確認された時間に基づいて時間遅れを計算し、
前記計算された時間遅れに基づいて、乗客コンベヤ（１０）の遠隔制御の制限時間を開始することを含むことを特徴とする乗客コンベヤの遠隔制御方法。
【請求項２】
乗客コンベヤ（１０）の遠隔制御の制限時間を開始するステップは、遠隔制御センター（１０６）において、前記計算された時間遅れに基づく制限された時間にわたって乗客コンベヤ（１０）の動作の遠隔制御を可能にするように、少なくとも１つのボタン（１１０）の状態を無効から有効に変更することによって実行されることを特徴とする請求項１記載の乗客コンベヤの遠隔制御方法。
【請求項３】
時間遅れを計算するステップは、遠隔制御センター（１０６）によって実行されることを特徴とする請求項１記載の乗客コンベヤの遠隔制御方法。
【請求項４】
時間遅れを計算するステップは、遠隔制御センター（１０６）が状態変化オブジェクト（１０４）に始動指令（１０８）を送信した時間を記録し、状態変化オブジェクト（１０４）が始動指令（１０８）に応答していることを確認した時間を記録することを含むことを特徴とする請求項１記載の乗客コンベヤの遠隔制御方法。
【請求項５】
遠隔制御センター（１０６）から状態変化オブジェクト（１０４）に始動指令（１０８）を送信するステップは、状態変化オブジェクト（１０４）にパターンを送信することによって実行され、状態変化オブジェクト（１０４）は、このパターンに基づいて視覚的に確認できる状態を変化させることを特徴とする請求項１記載の乗客コンベヤの遠隔制御方法。
【請求項６】
状態変化オブジェクトは、交通流れ灯などのあらゆる種類のランプであり、遠隔制御センター（１０６）から状態変化オブジェクト（１０４）に始動指令（１０８）を送信するステップは、交通流れ灯に光点滅パターンからなる指令を送信することによって実行され、交通流れ灯は、受信したパターンに従って光を点滅させることを特徴とする請求項１記載の乗客コンベヤの遠隔制御方法。
【請求項７】
乗客コンベヤ（１０）の画像を捕らえるステップと、乗客コンベヤ（１０）の遠隔制御の制限時間を開始するステップと、は、前記計算された時間遅れに依存することを特徴とする請求項１記載の乗客コンベヤの遠隔制御方法。
【請求項８】
遠隔制御センター（１０６）に表示された乗客コンベヤ（１０）の画像の目視検査によって乗客コンベヤ（１０）上に乗客がいないことを確認するステップをさらに含むことを特徴とする請求項１記載の乗客コンベヤの遠隔制御方法。
【請求項９】
カメラ（１０２）は、市販のカメラであることを特徴とする請求項１記載の乗客コンベヤの遠隔制御方法。
【請求項１０】
手動操作または自動操作のいずれかによって乗客コンベヤ（１０）を遠隔制御するステップをさらに含み、手動操作は、オペレータによって実行され、自動操作は、遠隔制御センター（１０６）によって実行されることを特徴とする請求項１記載の乗客コンベヤの遠隔制御方法。
【請求項１１】
乗客コンベヤ（１０）の遠隔制御方法であって、
視覚的に確認できる状態が変化する状態変化オブジェクト（１０４）を設け、
カメラ（１０２）を使用して乗客コンベヤ（１０）と状態変化オブジェクト（１０４）の画像を連続的に捕らえ、
カメラ（１０２）から受信した状態変化オブジェクト（１０４）および乗客コンベヤ（１０）の画像を表示可能な遠隔制御センター（１０６）に捕らえた画像を送信し、
状態変化オブジェクト（１０４）にパターンからなる始動指令（１０８）を連続的に送信し、状態変化オブジェクト（１０４）は、このパターンに応じて視覚的に確認できる状態を変化させ、
始動指令（１０８）に応答する状態変化オブジェクト（１０４）の画像を連続的に受信し、
始動指令（１０８）が状態変化オブジェクト（１０４）に送信された時間と、遠隔制御センター（１０６）がカメラ（１０２）から受信した状態変化オブジェクト（１０４）の画像によって状態変化オブジェクトが始動指令（１０８）に応答していることが確認された時間と、の間の時間遅れを連続的に計算し、
前記計算された時間遅れに基づいて、乗客コンベヤ（１０）の遠隔制御の制限時間を開始し、
前記計算された時間遅れに基づいて、捕らえた乗客コンベヤ（１０）の画像を調整することを含むことを特徴とする乗客コンベヤの遠隔制御方法。
【請求項１２】
乗客コンベヤ（１０）の遠隔制御の制限時間を開始するステップは、遠隔制御センター（１０６）において、前記計算された時間遅れに基づく制限された時間にわたって乗客コンベヤ（１０）の動作の遠隔制御を可能にするように、少なくとも１つのボタン（１１０）の状態を無効状態から有効状態に変更することによって実行されることを特徴とする請求項１１記載の乗客コンベヤの遠隔制御方法。
【請求項１３】
画像を連続的に捕らえ、捕らえた画像を送信し、時間遅れを連続的に計算するステップによって、遠隔制御センター（１０６）、状態変化オブジェクト（１０４）およびカメラ（１０２）の間のリアルタイムの通信が連続的に確認され、カメラ（１０２）、状態変化オブジェクト（１０４）および遠隔制御センター（１０６）のいずれかが連続的に通信することができなくなると、乗客コンベヤ（１０）の遠隔制御の時間制限が中断されることを特徴とする請求項１１記載の乗客コンベヤの遠隔制御方法。
【請求項１４】
状態変化オブジェクトは、交通流れ灯であり、状態変化オブジェクト（１０４）にパターンからなる始動指令（１０８）を連続的に送信するステップは、交通流れ灯に光点滅パターンからなる指令を送信することによって実行され、交通流れ灯は、前記パターンに従って光を点滅させることを特徴とする請求項１１記載の乗客コンベヤの遠隔制御方法。
【請求項１５】
手動操作または自動操作のいずれかによって乗客コンベヤ（１０）を遠隔制御するステップをさらに含み、手動操作は、オペレータによって実行され、自動操作は、遠隔制御センター（１０６）によって実行されることを特徴とする請求項１１記載の乗客コンベヤの遠隔制御方法。
【請求項１６】
遠隔制御装置（１００）を備える乗客コンベヤ（１０）であって、
乗客コンベヤ（１０）と関連して設けられ、状態が変化する状態変化オブジェクト（１０４）と、
乗客コンベヤ（１０）と関連して設けられ、乗客コンベヤ（１０）および状態変化オブジェクト（１０４）の全体の画像を捕らえるカメラ（１０２）と、
乗客コンベヤ（１０）から遠隔に位置し、カメラ（１０２）から画像を受信し、制限時間内で状態変化オブジェクト（１０４）と乗客コンベヤ（１０）を制御することができる遠隔制御センター（１０６）と、を有することを特徴とする乗客コンベヤ。
【請求項１７】
前記制限時間は、遠隔制御センター（１０６）が計算した時間遅れに依存し、この時間遅れは、遠隔制御センター（１０６）が状態変化オブジェクト（１０４）に始動指令（１０８）を送信してから状態変化オブジェクト（１０４）が始動指令（１０８）に応答するまでの時間を計測したものであることを特徴とする請求項１６記載の乗客コンベヤ。
【請求項１８】
カメラ（１０２）が捕らえた画像の視野は、前記計算された時間遅れに依存することを特徴とする請求項１７記載の乗客コンベヤ。
【請求項１９】
カメラ（１０２）は、市販のカメラであることを特徴とする請求項１６記載の乗客コンベヤ。
【請求項２０】
状態変化オブジェクト（１０４）は、交通流れ灯、閃光灯およびデジタル時計からなる群から選択されることを特徴とする請求項１６記載の乗客コンベヤ。
【発明の詳細な説明】
【技術分野】
【０００１】
本発明は、一般に、乗客コンベヤに関し、特に、乗客コンベヤの遠隔制御装置および遠隔制御方法に関する。
【背景技術】
【０００２】
乗客コンベヤは、乗客を１つの目的地から他の目的地まで速やかに搬送するために広く使用されている。例えば、エレベータは、乗客をビル内で垂直に運び、エスカレータは、階段を上るよりも便利に乗客を１つの階から他の階に運ぶように設計されている。動く歩道も、乗客を１つの位置から他の位置へと水平により便利に運ぶことで歩く過程を速める。乗客コンベヤは、オフィスビル、空港およびショッピングセンターなどの公共の場所で使用される。
【０００３】
乗客コンベヤは、非常に多くの乗客を１つの目的地から他の目的地まで速やかに搬送することで公共の場所を便利にしてきたが、乗客コンベヤは常に保守を必要とする。適切な使用による通常の損耗の保守時や不適切な使用による事故などの特定の状況では、乗客コンベヤを停止することがある。
【０００４】
さらに、乗客コンベヤは、安全規則や安全規定に従って動作することが要求される。例えば、乗客コンベヤの制御ユニットに制御信号を送信する前に、乗客がいないことを確認する安全装置を備える必要がある。このような安全装置は、安全規則や安全規定を満たすという認証が必要である。認証された安全装置は、高価で１つのユニットに限られ、かつ変化する乗客コンベヤの条件に従って容易に更新できない。
【発明の概要】
【発明が解決しようとする課題】
【０００５】
よって、アップグレード可能でコスト効率のよい汎用の乗客コンベヤ安全制御装置／システムが今もなお求められている。
【課題を解決するための手段】
【０００６】
本発明の一形態では、乗客コンベヤの遠隔制御方法が開示される。この方法は、視覚的に確認できる状態が変化する状態変化オブジェクトを設け、カメラを使用して乗客コンベヤと状態変化オブジェクトの画像を捕らえ、カメラから受信した画像を表示可能な遠隔制御センターにカメラが捕らえた画像を送信して状態変化オブジェクトと乗客コンベヤを制御し、遠隔制御センターから状態変化オブジェクトに始動指令を送信し、始動指令に応答する状態変化オブジェクトの画像を受信し、始動指令が送信された時間に対する、遠隔制御センターがカメラから受信した状態変化オブジェクトの画像によって状態変化オブジェクトが始動指令に応答していることが確認された時間に基づいて時間遅れを計算し、計算された時間遅れに基づいて乗客コンベヤの遠隔制御の制限時間を開始することを含みうる。
【０００７】
本発明の他の形態では、乗客コンベヤの遠隔制御方法が開示される。この方法は、視覚的に確認できる状態が変化する状態変化オブジェクトを設け、カメラを使用して乗客コンベヤと状態変化オブジェクトの画像を連続的に捕らえ、カメラから受信した画像を表示可能な遠隔制御センターに捕らえた画像を送信して状態変化オブジェクトと乗客コンベヤを制御し、状態変化オブジェクトにパターンからなる始動指令を連続的に送信し、状態変化オブジェクトはパターンに応じて視覚的に確認可能な状態を変化させ、始動指令に応答する状態変化オブジェクトの画像を連続的に受信し、状態変化オブジェクトに始動指令が送信された時間と、遠隔制御センターがカメラから受信した状態変化オブジェクトの画像によって状態変化オブジェクトが始動指令に応答していることが確認された時間と、の間の時間遅れを連続的に計算し、計算された時間遅れに基づいて乗客コンベヤの遠隔制御の制限時間を開始し、計算された時間遅れに基づいて捕らえた乗客コンベヤの画像を調整することを含みうる。
【０００８】
本発明のさらに他の形態では、遠隔制御装置を有する乗客コンベヤが開示される。乗客コンベヤは、乗客コンベヤと関連して設けられるとともに状態が変化する状態変化オブジェクトと、乗客コンベヤと状態変化オブジェクトの全体の画像を捕らえるように乗客コンベヤと関連して設けられたカメラと、乗客コンベヤの遠隔に位置し、カメラから画像を受信して制限時間内で状態変化オブジェクトと乗客コンベヤを制御する遠隔制御センターと、を含みうる。
【０００９】
他の利点や特徴は、以下の詳細な説明および添付された図面により明らかになる。
【００１０】
開示された装置および方法のより完全な理解のために、添付の図面により詳細に示した実施例を参照されたい。
【００１１】
図面は、必ずしも縮尺に従っておらず、開示された実施例は時には概略的および部分的に示されている。開示された方法および装置の理解に必要のない細部または他の部分の理解を妨げる細部は、省略されている場合がある。本発明は、当然ながら、本明細書に記載した特定の実施例に限定されるものではないことを理解されたい。
【図面の簡単な説明】
【００１２】
【図１】本発明の教示に従って構成されたエスカレータの一実施例の説明図である。
【図２】本発明の教示に従って構成された遠隔制御装置の一実施例の説明図である。
【図３】本発明の教示に従って実施可能なステップの例示的なシーケンスを図で表した説明図である。
【図４】本発明の方法に従って実施可能なステップの例示的なシーケンスを示すフローチャートである。
【図５】本発明の方法に従って実施可能なステップの他の例示的なシーケンスを示すフローチャートである。
【発明を実施するための形態】
【００１３】
図面、特に図１を参照すると、本発明の教示に従って構成された乗客コンベヤの全体が参照符号１０として示されている。より詳細には、乗客コンベヤを説明する例示的な実施例として、以下ではエスカレータ１０を使用する。本発明はエスカレータに限定されるものではなく、本明細書ではエスカレータに代えて動く歩道などの他の例示的な実施例も乗客コンベヤと呼ぶことができることを理解されたい。
【００１４】
図１に示すように、エスカレータなどの例示的な乗客コンベヤ１０は、第１のプラットフォーム１２、第２のプラットフォーム１４、第１のプラットフォーム１２と第２のプラットフォーム１４の間に延在する複数の移動パレットまたは踏段１６を備える踏段バンド１５および複数の踏段１６に沿って設けられた移動手摺り１８を有する。コンベヤ１０の踏段１６は、電気モータなどの主駆動源１７によって駆動可能であり、プラットフォーム１２，１４の間で移動可能となっている。主駆動源１７は、駆動シャフトおよび関連するギアを回転させることにより、コンベヤ１０の内部で踏段１６の内側面に機械的に連結される閉ループの踏段チェーンを回転させる。２つの乗場プラットフォーム１２，１４のそれぞれの内部において、スプロケットが踏段チェーンおよび連結された踏段１６を弧に沿って案内し、踏段の移動方向を逆転させて循環させるように戻り経路を形成する。手摺り１８は、踏段１６と同様の手段によって踏段１６と同等の速度で移動可能である。
【００１５】
エスカレータ１０は、乗客によって使用されるので、踏段１６を含むがこれに限定されないエスカレータ１０の構成要素は、時間が経つにつれて損耗および動作不良を生じうる。安全規則や安全規定は、エスカレータ１０の機能により乗客による危険な使用が防止されることを要求する。エスカレータが適切に機能していることを確認する方法の１つは、エスカレータを遠隔で監視、試験および制御することである。
【００１６】
続いて、図２を参照すると、乗客コンベヤの遠隔制御装置１００が開示されている。遠隔制御装置１００は、カメラ１０２、状態変化オブジェクト１０４および遠隔制御センター１０６を含みうる。例示的な一実施例では、カメラ１０２は、市販のカメラである。現在、乗客コンベヤの監視装置は、認証されたカメラを使用する。認証されたカメラは、乗客コンベヤの監視のための規定や規則に準拠していることを保証する認証を得るために厳しい試験を通っている。この認証プロセスにより、特にカメラのアップグレードが必要で再認証を要する場合に、認証カメラはかなり高価になるおそれがある。しかし、今日業界で使用されている現行の乗客コンベヤの監視装置とは異なり、遠隔制御装置１００は、カメラやインターフェイスボードを含むがこれらに限定されない市販の構成要素を組み込むように設計することができる。市販のカメラは、特定の基準、すなわち規定や規則を満たす必要なく設計された既製品とすることができる。このような市販のカメラは、認証されたカメラよりもはるかに経済的で適応性がある。本明細書でさらに詳細に説明するように、遠隔制御装置１００は、低コストの市販カメラを使用するとともに、乗客コンベヤで要求される規定や規則に準拠する信頼性がある監視／制御装置を今まで通り提供することができる。
【００１７】
例示的な一実施例では、状態変化オブジェクト１０４は、交通流れ灯とすることができる。交通流れ灯は、エスカレータの移動方向を示すようにエスカレータの近傍に設けられる。状態変化オブジェクト１０４は、交通流れ灯に限定されるものではなく、視覚的な表示器を提供し、状態が変化するものであれば、閃光灯やデジタル時計を含むがこれらに限定されない他の装置とすることができる。状態変化オブジェクト１０４は、カメラ１０２が踏段バンド１５および第１、第２のプラットフォーム１２，１４の画像を捕らえたときに、その画像に状態変化オブジェクト１０４も含まれるようにエスカレータ１０と関連して設ける必要がある。
【００１８】
遠隔制御センター１０６は、乗客コンベヤ１０から遠隔に位置し、乗客コンベヤ１０の制御装置、カメラ１０２、および状態変化オブジェクト１０４と電気通信可能に設けることができる。例示的な一実施例では、遠隔制御センター１０６は、乗客コンベヤ１０、カメラ１０２および状態変化オブジェクト１０４と無線通信可能なラップトップ型などのパソコン（ＰＣ）とすることができる。遠隔制御センター１０６は、ＰＣや無線通信に限定されるものではなく、当業者であればわかるように、乗客コンベヤ１０、カメラ１０２および状態変化オブジェクト１０４と通信可能でこれらを制御できるあらゆる他の形式の装置や通信形態としてもよい。遠隔制御センター１０６は、乗客コンベヤ１０と状態変化オブジェクト１０４の画像を単一の画面に表示するとともに、始動指令１０８と、オペレータが乗客コンベヤ１０を遠隔制御するときに使用する少なくとも１つのボタン１１０と、を表示しうる。例示的な一実施例では、始動指令１０８は、状態変化オブジェクト１０４に指令を送信して状態変化オブジェクト１０４に状態を変化させるよう要求することができる。少なくとも１つのボタン１１０により、エスカレータ１０、特に踏段バンド１５が遠隔制御可能となる。例示的な一実施例では、乗客コンベヤ１０を起動および停止できる“起動（上昇，下降）”および“停止”の少なくとも２つのボタン１１０を設けることができる。他の実施例では、始動指令１０８、起動（上昇，下降）および停止ボタン１１０は、図示した画面とは異なる独立したスイッチとすることができる。
【００１９】
エスカレータ１０を遠隔制御するには、特定の規定や規則を満たす必要がある。特定の必要条件の１つは、エスカレータ１０の遠隔操作中にエスカレータ１０の上または近傍に乗客が確実にいないことである。カメラなどの認証設備は、エスカレータ１０の遠隔制御中に捕らえられるエスカレータ１０の画像の信頼性を確保するために繰り返し試験がなされている。しかし、遠隔制御装置１００は、非認証設備を使用しつつ、選択された正しいエスカレータの現在の更新された画像を遠隔操作の実行中に確実に表示することができる。
【００２０】
図３は、遠隔制御装置１００が乗客コンベヤ１０をリアルタイムで制御することができるステップのシーケンスを図で表した説明図である。第１のステップ２００は、カメラ１０２が捕らえた乗客コンベヤ１０およびこの例では交通流れ灯である状態変化オブジェクト１０４の画像を、この例ではラップトップである遠隔制御センター１０６の画面で見ることである。第３のステップ２０４は、始動指令１０８を送信し、交通流れ灯１０４の状態変化を要求することである。始動指令１０８を送信する前および確認時間中は、第２のステップ２０２において起動および停止ボタン１１０は無効状態でありうる。第３のステップ２０４で始動指令１０８が送信されると、交通流れ灯１０４の画像が始動指令１０８に応答して状態を変化させ、第４のステップ２０６でラップトップ１０６の画像によりこれが確認される。ステップ２０６では、この時点でも乗客コンベヤ１０に乗客が確実にいないことが確認される。始動指令１０８の送信と、始動指令１０８に応答する交通流れ灯１０４の画像の確認と、の時間遅れが計算される。計算された時間遅れの値および計算された時間遅れが規定範囲内にあるかどうかによって、起動および停止ボタン１１０が有効になる。しかし、計算された時間遅れが範囲外であれば、ボタンは無効のままとなり、プログラムは再度押さなくても始動ステップ２０４に戻る。これにより、図４を参照して本明細書でさらに詳細に説明するように、時間遅れが連続的に計算され、所定範囲となるまで再度チェックされる。時間遅れが所定範囲内にある限り、プログラムは次のステップ２１０に進み、ステップ２０８でユーザがボタン１１０を操作することによって乗客コンベヤ１０を制御することを許可する。
【００２１】
カメラ１０２は、計算された時間遅れに従って、画面の拡大または縮小などによって乗客コンベヤ１０の画像（ｆｏｃａｌ  ｖｉｅｗ）を調整することもできる。例えば、計算された時間遅れが許容される上限に近ければ、カメラは乗客コンベヤ１０および周囲のプラットフォーム１２，１４のより広い視野を得るために画像を拡大する。リアルタイム応答が遅いために画像がそれほど頻繁に更新されないおそれがあるので、視野が広いことによって乗客コンベヤ１０に接近している乗客がいないことを確認する追加の時間が得られる。反対に、計算された時間遅れが許容される下限とすることができるゼロに近ければ、安定したリアルタイム応答によって画像が頻繁に更新されていることがわかっているため、カメラ１０２は乗客コンベヤ１０に集中するように画像を縮小することができる。ボタン１１０が有効になると、遠隔制御センター１０６は、ステップ２１０でボタン１１０が有効である限り乗客コンベヤ１０を遠隔制御することができる。遠隔制御プロセス中に、遠隔制御センター１０６が計算された時間遅れが長いことによって通信不良になったり、例えば、交通流れ灯１０４が始動指令に応答しない、またはカメラ１０２の画像が更新されないなど、カメラ１０２や交通流れ灯１０４との通信が切れたりすると、ボタン１１０が無効となり、乗客コンベヤ１０の遠隔操作が終了する。上述のプロセスは、人の目視検査や画像比較に頼っているが、自動化されたコンピュータベースの画像比較も考えられ、自動化された画像比較も、本発明と一致するとともに当然ながら本発明の範囲に含まれる。
【００２２】
図３はエスカレータ遠隔制御プロセスを図で表した説明図であり、一方、図４はエスカレータ１０を手動で遠隔制御するステップ３００の例示的なシーケンスを含むプロセスをフローチャートとして示している。ステップ３０２では、手動モードが開始される。ステップ３０４では、遠隔制御するエスカレータが選択されるとともに、始動指令１０８が状態変化オブジェクト１０４に送られ、タイマが起動されて開始時間Ｔ1が記録される。例示的な一実施例では、始動指令１０８は、例えば、０．５秒オン、０．７秒オフ、１．２秒オン、０．３秒オフなど、状態変化オブジェクト１０４に送信される連続的な非周期点滅パターンの指令であり、状態変化オブジェクト１０４は受信したパターンに基づいて状態を変化させる。以下でより詳細に説明するように、状態変化オブジェクト１０４の状態を変化させ、状態変化オブジェクトの指令に対する応答を確認するために多くの他のパターンも実行可能である。
【００２３】
始動指令１０８が送信されると、ステップ３０６で状態変化オブジェクト１０４が受け取ったパターンに基づいて状態を変化させたかを確認するために状態変化オブジェクト１０４の画像がチェックされる。遠隔制御センター１０６が、状態変化オブジェクト１０４が始動指令１０８に応答した画像を検出すると、ステップ３０８でタイマが停止されて確認時間Ｔ2が記録される。ステップ３１０で、記録された時間Ｔ1，Ｔ2に基づいて、始動指令と、始動指令に応答する状態変化オブジェクト１０４（例えば、交通流れ灯）の変化の確認と、の間の時間遅れが計算される。ステップ３１２では、計算された時間遅れが許容される範囲内にあるかが判断される。同時に、プログラムはステップ３０４に飛んで、非周期パターンを送信することによって別に始動プロセスを開始する。時間遅れの計算が確認されると、遠隔制御センター１０６の画像を調整することができる。例えば、時間遅れ値の許容範囲が０〜１．０秒に設定されており、計算された時間遅れが０．８秒である場合、ステップ３１４で計算された時間遅れに基づいて乗客コンベヤ１０の画像の視野（ｆｏｃａｌ  ｐｅｒｓｐｅｃｔｉｖｅ）が再調整される。計算された時間遅れが許容範囲内であれば、エスカレータ１０を遠隔制御するために、ステップ３１６で制限された時間にわたってボタン１１０が有効にされる。次に、オペレータは、ステップ３１８でカメラ画像をチェックして、乗客コンベア１０やプラットフォーム領域１２，１４に乗客がいないことを確認する。ステップ３２０で選択された領域に乗客がいないことが確認されると、オペレータはステップ３２２で有効なボタン１１０を起動してエスカレータ１０の遠隔制御を行うことができる。
【００２４】
ステップ３１２に戻ると、時間遅れが許容される制限時間内でない場合には、ステップ３２４でカウンタがインクリメントされる。続いて、ステップ３２６でカウンタをチェックし、所定限度を超えていないかを確認する。カウンタがこの限度を超えていれば、許容範囲を超える時間遅れの繰り返しや状態変化オブジェクト１０４が始動指令１０８に応答したかを確認できないという事態を生じさせる接続不良により、ステップ３２８でアルゴリズムをアボートすることができ、プロセスのフローはアルゴリズムの開始点であるステップ３０２に戻る。カウンタが所定限度を超えていなければ、アルゴリズムはステップ３０４に戻り、この点から遠隔制御プロセスを続ける。
【００２５】
図５は、エスカレータ１０を自動的に遠隔制御するステップ４００の例示的なシーケンスを含むフローチャートを示している。自動モードは、ステップ４０２で開始することができる。ステップ４０４では、自動制御するエスカレータが選択される。ステップ４０６では、始動指令１０８が状態変化オブジェクト１０４に送信されるとともに、タイマが起動されて開始時間Ｔ1が記録される。例示的な一実施例では、始動指令１０８は、例えば、０．５秒オン、０．７秒オフ、１．２秒オン、０．３秒オフなど、状態変化オブジェクト１０４に送信される連続的な非周期点滅パターンの指令であり、状態変化オブジェクト１０４は受信したパターンに基づいて状態を変化させる。状態変化オブジェクト１０４の状態を変化させ、状態変化オブジェクト１０４の指令に対する応答を確認するために多くの他のパターンも実行可能である。
【００２６】
始動指令１０８が送信されると、ステップ４０８で状態変化オブジェクト１０４が受け取ったパターンに基づいて状態を変化させたかを確認するために状態変化オブジェクト１０４の画像がチェックされる。例示的な一実施例では、遠隔制御センター１０６は、画像内のオブジェクトを検出する画像識別装置を有しうる。遠隔制御センター１０６が、状態変化オブジェクト１０４が始動指令１０８に応答した画像を検出すると、ステップ４１０でタイマが停止されて確認時間Ｔ2が記録される。ステップ４１２で、記録された時間Ｔ1，Ｔ2に基づいて、始動指令１０８と、始動指令１０８に応答する状態変化オブジェクト１０４（例えば、交通流れ灯）の変化の確認と、の間の時間遅れが計算される。ステップ４１４では、計算された時間遅れが許容される範囲内にあるかが判断される。同時に、プログラムはステップ４０６に飛んで、非周期パターンを送信することによって別に始動プロセスを開始する。時間遅れの計算が確認されると、遠隔制御センター１０６の画像を調整することができる。例えば、時間遅れ値の許容範囲が０〜１．０秒に設定されており、計算された時間遅れが０．８秒である場合、ステップ４１６で計算された時間遅れに基づいて乗客コンベヤ１０の画像の視野が再調整される。続いて、ステップ４１８で乗客コンベア１０やプラットフォームの領域１２，１４に乗客がいないことを確認するために画像処理を行うことができる。ステップ４２０で選択された領域に乗客がいないことが確認されると、遠隔制御センター１０６は、ステップ４２２で有効なボタンを起動してエスカレータ１０の遠隔制御を行うことができる。
【００２７】
ステップ４１４に戻ると、時間遅れが許容される制限時間内でない場合には、ステップ４２４でカウンタがインクリメントされる。続いて、ステップ４２６でカウンタをチェックし、所定限度を超えていないかを確認する。カウンタがこの限度を超えていれば、ステップ４２８で図４を参照して上述した手動モードを開始することができる。カウンタが所定限度を超えていなければ、アルゴリズムはステップ４０６に戻り、自動遠隔制御プロセスを続ける。
【００２８】
許容可能な時間は、装置１００の必要条件に基づいて調整可能である。さらに、カメラ１０２は、計算された時間遅れおよび装置１００の必要条件に基づいて視野を再調整可能とすることもできる。また、遠隔制御装置１００は、オペレータによって手動で操作するか、遠隔制御センター１０６によって自動で操作することができる。例えば、手動モードでは、オペレータが乗客コンベヤ１０および状態変化オブジェクト１０４の画像を確認し、ボタン１１０が有効になり次第ボタンを制御することができる。自動モードでは、遠隔制御センター１０６は、乗客コンベヤ１０および状態変化オブジェクト１０４の画像の変化を検出するために画像識別装置を使用することができ、ボタン１１０が有効になり次第ボタンを制御することができる。本明細書では、単一のエスカレータ／乗客コンベヤの実施例を説明しているが、遠隔制御装置１００は、特に自動モードにおいて複数の乗客コンベヤを同時に監視、試験および制御することが可能である。
【００２９】
上述のように、本発明はリアルタイムで乗客コンベヤを遠隔制御する装置および方法を開示している。このような乗客コンベヤは、エレベータ、エスカレータ、動く歩道などを含むがこれらに限定されない形態で設けることができる。乗客コンベヤの遠隔制御装置は、非認証設備を使用しつつ、乗客コンベヤおよび状態変化オブジェクトの現在の画像を連続的に確認し、制限された時間にわたって乗客コンベヤの遠隔制御を可能にする。遠隔制御装置は、状態変化オブジェクトにパターンに基づいて状態を変化させるよう指示する状態変化オブジェクトへのパターンからなる始動指令を連続的に送信可能なラップトップなどの遠隔制御センターを含むことができる。遠隔制御センターは、続いて、始動指令が送信された時間から状態変化オブジェクトの画像によって状態変化オブジェクトが始動指令に応答していることが確認された時間までの時間遅れを計算する。遠隔制御センターは、計算された時間遅れに基づいて、乗客コンベヤを遠隔制御する制限時間を定めることができる。時間遅れは、さらに、乗客コンベヤを遠隔制御する制限時間を決定するための遠隔制御センターへのフィードバックとなり、また、捕らえられる乗客コンベヤの視野を調整するためのカメラへのフィートバックとなる。遠隔制御センター、状態変化オブジェクトおよびカメラの間の通信の連続的な確認により、遠隔制御装置の動作をリアルタイムで確認することができる。遠隔制御装置は、非認証の市販設備を使用しつつ、リアルタイムで動作を確認することで、遠隔で乗客コンベヤの監視、試験および制御を行うアップグレード可能な低コストの装置を提供する。
【００３０】
特定の実施例を開示したが、当業者には上述の説明から変更や改良は明らかである。このような変更および他の変更は、同等物とみなされ、本開示内容および請求項の趣旨および範囲内に含まれる。
【図１】
2013534199.tif 000003
【図２】
2013534199.tif 000004
【図３】
2013534199.tif 000005
【図４】
2013534199.tif 000006
【図５】
2013534199.tif 000007
【国際調査報告】
2013534199.tif 000008
2013534199.tif 000009